(57)【要約】【課題】除湿機などの空調装置の吹出口に使用される風向変更装置では、吹出し送風方向変更およびある一定の送風幅拡大しかできないが、乾燥すべき衣類の量や質、配置などに合せて吹出し送風幅をその時々に最適な吹出し送風幅に任意に設定できることを目的とする。【解決手段】本体１に設けた遠心送風機１ａの気流を吹き出す吹出口２と、この吹出口２の下流側に回動可能に設けた俯仰ルーバー３と、この俯仰ルーバー３に平行に設けた支持ルーバー４と、俯仰ルーバー３と支持ルーバー４に挟持されて左右方向に回動可能に軸支される複数の風向板ユニット５を有し、風向板ユニット５はそれぞれ独立して任意の回動角度で固定可能とすることで、風向の組合せにより指向性を高めた集中送風や、広範囲に拡大させる拡大送風等の多様な吹出し送風幅を効率良く実現できる風向変更装置を提供できる。【選択図】図１
2009192137.tif 000002
【特許請求の範囲】
【請求項１】
除湿手段などの空調機能を備えた本体と、この本体に設けた遠心送風機の気流を吹き出す吹出口と、この吹出口の下流側に回動可能に設けた俯仰ルーバーと、この俯仰ルーバーに平行に設けた支持ルーバーと、前記俯仰ルーバーと前記支持ルーバーに挟持されて左右方向に回動可能に軸支される複数の風向板ユニットを有し、この風向板ユニットはそれぞれ独立して任意の回動角度で固定可能とした風向変更装置。
【請求項２】
風向板ユニットは複数の風向変更フィンと、この風向変更フィンを回動可能に軸支する左右回動軸と、複数の風向変更フィンを回動可能に連結する連結棒からなり、この連結棒に設けた複数の連結穴に前記風向変更フィンに備えた連結用突起を圧入状態で嵌入させ、前記連結穴と前記連結用突起との摩擦により、前記風向板ユニットを回動したあと固定可能とした請求項１記載の風向変更装置。
【請求項３】
風向板ユニットの回動角度は、本体の側面中心から左右に４５度以内とした請求項１または２記載の風向変更装置。
【請求項４】
俯仰ルーバーは、主ルーバーと従ルーバーからなり、従ルーバーは主ルーバーに対して俯仰可能に軸支され、風向板ユニットは前記従ルーバーに回動可能に軸支されてなる請求項１〜３のいずれかに記載の風向変更装置。
【請求項５】
主ルーバーに平行して一体的に補強ルーバーを設け、従ルーバーに平行して一体的に支持ルーバーを設け、前記主ルーバーと前記従ルーバーを同一方向に設定したとき、前記補強ルーバーと前記支持ルーバーは同一平面上に配列されてなる請求項４記載の風向変更装置。
【請求項６】
主ルーバーに対して従ルーバーを最大角度に回動したとき、従ルーバーの支持ルーバーが主ルーバーの補強ルーバーに近接または当接してなる請求項５記載の風向変更装置。
【請求項７】
本体の吹出口に複数の縦格子を下方に突設した縦格子部を備え、この縦格子部は遠心送風機による斜め方向の吹出気流を上方向に風向変更してなる請求項１記載の風向変更装置。
【請求項８】
本体の吹出口に複数の横格子を上方に突設した横格子部を備えてなる請求項７記載の風向変更装置。
【請求項９】
本体の断面形状は前面が凸状の円弧形状をなし、この円弧形状に対応して横格子を前面が凸状の円弧形状に形成した請求項８記載の風向変更装置。
【請求項１０】
縦格子は遠心送風機の吹出方向に対して凸状の円弧形状となし、前記遠心送風機の吹出気流を、吹出口を横切る中心線方向に集める方向に風向変更してなる請求項７記載の風向変更装置。
【発明の詳細な説明】
【技術分野】
【０００１】
本発明は、除湿機などの空調装置の吹出口に使用される風向変更装置に関する。
【背景技術】
【０００２】
従来、この種の風向変更装置は、回転可能に設けた第１の風向変更ルーバーと、第１の風向変更ルーバーに軸支され回転可能に設けた第２の風向変更ルーバーを組み合わせたものが知られている（例えば、特許文献１参照）。
【０００３】
以下、その風向変更装置について図１７を参照しながら説明する。
【０００４】
図に示すように、除湿機本体１０１の上部に吹出口１０２を設け、この吹出口１０２から除湿された乾燥空気を吐出する。吹出口１０２に面して下流側に第１の風向変更ルーバー１０３を回動可能に設け、第１の風向変更ルーバー１０３は第２の風向変更ルーバー１０４を回動可能に軸支している。
【０００５】
第１の風向変更ルーバー１０３は水平面を基準として、角度０度から９０度（垂直）の範囲で自動または手動にて回動可能に設けられ、０度から９０度の任意の角度にて静止できるものであり、第２の風向変更ルーバー１０４は、角度０度、２２．５度、４５度などの複数段階のいずれかの角度に仮固定することができるものである。
【０００６】
したがって、第１の風向変更ルーバー１０３と第２の風向変更ルーバー１０４の組み合わせにより、小さな可動範囲で効率良く乾燥空気の吹出範囲を広範囲に拡大することができる。
【０００７】
また、他の風向変更装置は、風向変更ルーバーのベーンに送風の幅を広げる風向拡散板を設けたものが知られている（例えば、特許文献２参照）。
【０００８】
以下、その風向変更装置について図１８および図１９を参照しながら説明する。
【０００９】
図に示すように、除湿機本体１０５の上面に設けた吹出口の内壁に、支軸１０７を介して風向変更ルーバー１０６が回転自在に支持され、風向変更ルーバー１０６は長短二枚のベーン１０６ａ、１０６ｂで構成され、一枚目のベーン１０６ａは二枚目のベーン１０６ｂよりも長さが短く、かつ二枚目の長いベーン１０６ｂの裏面には風向拡散板１０６ｃがハの字形に一体に形成されている。
【００１０】
この風向変更ルーバー１０６は支軸１０７を中心として回転することにより、ベーン１０６ａ、１０６ｂの角度が適宜調整され吹出空気の吹出方向を変更できるものであり、風向変更ルーバー１０６を所定角度だけ回転させたときに、風向拡散板１０６ｃには初めて送風の一部が当たり、吹出口からの送風の幅を広げるように機能するものである。
【特許文献１】特開２００５−２２６９６１号公報
【特許文献２】特許第３８０７１８４号公報
【発明の開示】
【発明が解決しようとする課題】
【００１１】
このような従来の風向変更装置では、送風方向だけの変更および一定の送風範囲の変更しかできないという課題があり、乾燥すべき衣類の量や質、配置などに合せて送風範囲や送風幅を任意に設定できる風向変更装置が要求されている。
【００１２】
本発明は、このような従来の課題を解決するものであり、俯仰方向および左右方向の送風範囲や送風幅をフレキシブルに設定して、所望する吹出気流を得ることのできる風向変更装置を提供することを目的としている。
【課題を解決するための手段】
【００１３】
本発明の風向変更装置は上記目的を達成するために、除湿手段などの空調機能を備えた本体と、この本体に設けた遠心送風機の気流を吹き出す吹出口と、この吹出口の下流側に回動可能に設けた俯仰ルーバーと、この俯仰ルーバーに平行に設けた支持ルーバーと、前記俯仰ルーバーと前記支持ルーバーに挟持されて左右方向に回動可能に軸支される複数の風向板ユニットを有し、この風向板ユニットはそれぞれ独立して任意の回動角度で固定可能としたものである。
【００１４】
また他の手段は、風向板ユニットは複数の風向変更フィンと、この風向変更フィンを回動可能に軸支する左右回動軸と、複数の風向変更フィンを回動可能に連結する連結棒からなり、この連結棒に設けた複数の連結穴に前記風向変更フィンに備えた連結用突起を圧入状態で嵌入させ、前記連結穴と前記連結用突起との摩擦により、前記風向板ユニットを回動したあと固定可能としたものである。
【００１５】
また他の手段は、風向板ユニットの回動角度を、本体中心から左右に４５度以内としたものである。
【００１６】
また他の手段は、俯仰ルーバーが主ルーバーと従ルーバーからなり、従ルーバーは主ルーバーに対して俯仰可能に軸支され、風向板ユニットは従ルーバーに回動可能に軸支されたものである。
【００１７】
また他の手段は、主ルーバーに平行して一体的に補強ルーバーを設け、従ルーバーに平行して一体的に支持ルーバーを設け、前記主ルーバーと前記従ルーバーを同一方向に設定したとき、前記補強ルーバーと前記支持ルーバーは同一平面上に配列されたものである。
【００１８】
また他の手段は、主ルーバーに対して従ルーバーを最大角度で回動したとき、従ルーバーの支持ルーバーが主ルーバーの補強ルーバーに近接または当接してなるものである。
【００１９】
また他の手段は、本体の吹出口に複数の縦格子を下方に突設した縦格子部を備え、この縦格子部は遠心送風機による斜め方向の吹出気流を上方向に風向変更したものである。
【００２０】
また他の手段は、本体の吹出口に複数の横格子を上方に突設した横格子部を備えたものである。
【００２１】
また他の手段は、本体の断面形状は前面が凸状の円弧形状をなし、この円弧形状に対応して横格子を前面が凸状の円弧形状に形成したものである。
【００２２】
また他の手段は、縦格子は遠心送風機の吹出方向に対して凸状の円弧形状となし、前記遠心送風機の吹出気流を、吹出口を横切る中心線方向に集める方向に風向変更してなるものである。
【００２３】
これらの手段により、俯仰方向および左右方向の送風範囲や送風幅をフレキシブルに設定して、所望する吹出気流を得ることのできる風向変更装置が得られる。
【発明の効果】
【００２４】
本発明によれば、左右方向に風向変更できる風向板ユニットを、簡単な構成で俯仰ルーバーに設置することが可能となり、多様な吹出方向と送風幅を実現できる風向変更装置を提供できる。
【００２５】
また、風向板ユニットが小型化、軽量化できるので、俯仰ルーバーと連動して軽快に操作できることで、所望する送風方向と送風幅に素早く風向変更することができる。
【００２６】
また、風向板ユニットの回動角度を必要な範囲内に制約することで、通風抵抗を増加させず、風量を減らさずに送風方向を変更できる。
【００２７】
また、従ルーバーを回動することにより本体後方への吹出が可能となり、本体後方に吊り下げられた洗濯物にも、送風方向と送風幅を適正に調節して、乾燥風を供給することができる。
【００２８】
また、主ルーバーと補強ルーバーおよび従ルーバーと支持ルーバーによる複数ルーバーにより、俯仰方向の指向性を高め、さらに風向板ユニットにより左右の送風幅と風向を変更して、洗濯物などに無駄なく送風することができる。
【００２９】
また、主ルーバーに対して従ルーバーを最大角度に回動する場合に、使用者が従ルーバーを強引に押し付けるように操作したときでも、支持ルーバーの先端が補強ルーバーに当接して、それ以上回動しないように規制するとともに、従ルーバーの軸片が主ルーバーから分離しないようにできる。
【００３０】
また、各ルーバーの上流側に、風向変更機能と整流機能のある縦格子を下方に突き出すように吹出口に設けることにより、上方への送風指向性を高めているので、下流側の各ルーバーにおいて円滑に風向変更することができる。
【００３１】
また、縦格子により整流したあとに、さらに縦格子に対して９０度の方向で整流機能のある横格子を上方に突き出すように吹出口に設けているので、上方への送風指向性を高めて、下流側の各ルーバーにおいて円滑に風向変更することができる。
【００３２】
また、本体外観形状に合せて吹出口の格子を外方に突き出して形成することで、吹出口の通風面積をできるだけ大きくして、通風抵抗を減らし送風量を確保することができる。
【００３３】
また、複数の凸状の円弧形状の縦格子を吹出口に設けているので、遠心送風機からの吹出気流が、縦格子に向かって吹き当たるときに、吹出気流は中心付近にやや寄せられるように上方に風向変更することになり、吹出気流を吹出口を横切る中心線方向に集めるように働いて、上方への送風指向性を高めることができ、下流側の各ルーバーにおいて円滑に風向変更することができる。
【発明を実施するための最良の形態】
【００３４】
本発明の請求項１記載の発明は、除湿手段などの空調機能を備えた本体と、この本体に設けた遠心送風機の気流を吹き出す吹出口と、この吹出口の下流側に回動可能に設けた俯仰ルーバーと、この俯仰ルーバーに平行に設けた支持ルーバーと、前記俯仰ルーバーと前記支持ルーバーに挟持されて左右方向に回動可能に軸支される複数の風向板ユニットを有し、この風向板ユニットはそれぞれ独立して任意の回動角度で固定可能としたものであり、通風抵抗を抑えた複数の風向板ユニットを簡単な構成で実現できるとともに、俯仰ルーバー、支持ルーバーおよび風向板ユニットによる風向の組み合わせにより、指向性を高めた集中送風から広範囲に拡大するワイドな送風という多様な吹出方向と送風幅の変更を、簡単な操作で行なうことができるという作用を有する。
【００３５】
また、風向板ユニットは複数の風向変更フィンと、この風向変更フィンを回動可能に軸支する左右回動軸と、複数の風向変更フィンを回動可能に連結する連結棒からなり、この連結棒に設けた複数の連結穴に前記風向変更フィンに備えた連結用突起を圧入状態で嵌入させ、前記連結穴と前記連結用突起との摩擦により、前記風向板ユニットを回動したあと固定可能としたものであり、左右回動可能な風向板ユニットが簡単軽量な構成で、かつ省スペースで設置でき、俯仰ルーバーと連動させることにより、適正な吹出方向と送風幅が素早く容易に設定できるという作用を有する。
【００３６】
また、風向板ユニットの回動角度は、俯仰ルーバーの中心から左右に４５度以内としたものであり、吊り下げた洗濯物を乾燥するための送風範囲をできるだけ拡大するとともに、通風抵抗を増加させないように左右方向の角度範囲を規制したことで、風量を減らさずにできるだけ広く送風方向を変更できるという作用を有する。
【００３７】
また、俯仰ルーバーは、主ルーバーと従ルーバーからなり、従ルーバーは主ルーバーに対して俯仰可能に軸支され、風向板ユニットは前記従ルーバーに回動可能に軸支されたものであり、主ルーバーに軸支された従ルーバーをともに回動することにより、本体後方への吹出が可能となり、本体の前方だけでなく、本体の後方に吊り下げられた洗濯物に対する吹出方向と送風幅も適正に設定でき、広範囲に吊り下げられた大量の洗濯物に合わせて、乾燥風をむらなく吹き付けることができるという作用を有する。
【００３８】
また、主ルーバーに平行して一体的に補強ルーバーを設け、従ルーバーに平行して一体的に支持ルーバーを設け、前記主ルーバーと前記従ルーバーを同一方向に設定したとき、前記補強ルーバーと前記支持ルーバーは同一平面上に配列されたものであり、主ルーバーと従ルーバーを重ねて略一体化するときは、補強ルーバーと支持ルーバーは前後に同一平面上に配置されるので、複数ルーバーが上下に平行に配置されることになり、送風方向の指向性を高めるとともに、主ルーバーの回動により吹出気流の風向を正確に変更できるという作用を有する。
【００３９】
また、主ルーバーに対して従ルーバーを最大角度で回動したとき、従ルーバーの支持ルーバーが主ルーバーの補強ルーバーに近接または当接したものであり、使用者が従ルーバーを強引に押し付けて操作したとき、従ルーバーが最大角度を超えて回動しないように、支持ルーバーの先端が補強ルーバーに当接して、それ以上回動しないように規制するとともに、従ルーバーの軸片が主ルーバーから分離しないように保護できるという作用を有する。
【００４０】
また、本体の吹出口に複数の縦格子を下方に突設した縦格子部を備え、この縦格子部は遠心送風機による斜め方向の吹出気流を上方向に風向変更するものであり、下方に突設した複数の縦格子が、遠心送風機からの斜め上方向の吹出気流を、垂直上方に風向変更して送風指向性を高めることができ、通風抵抗を少なく抑えつつ円滑な風向変更ができるという作用を有する。
【００４１】
また、本体の吹出口に複数の横格子を上方に突設した横格子部を備えたものであり、前述の縦格子部により垂直上方に風向変更されるものの、縦格子に沿うようにやや広がり気味となる気流を、縦格子と直交する上方に突設した複数の横格子により、確実に垂直上方に風向変更することができ、縦格子部の後流側に配した各ルーバーによる風向変更機能を充分に発揮させることができるという作用を有する。
【００４２】
また、本体の断面形状は前面が凸状の円弧形状をなし、この円弧形状に対応して横格子を前面が凸状の円弧形状に形成したものであり、本体の断面形状に合わせて吹出口の格子を形成することで、吹出口をできるだけ大きく確保しながら通風抵抗を減らすことができるという作用を有する。
【００４３】
また、縦格子は遠心送風機の吹出方向に対して凸状の円弧形状となし、前記遠心送風機の吹出気流を、吹出口を横切る中心線方向に集める方向に風向変更してなるものであり、遠心送風機からの吹出気流が、縦格子に向かって吹き当たるときに、縦格子は凸状の円弧形状をなしているので、吹出気流は中心付近にやや寄せられるように上方に風向変更することになり、吹出気流を吹出口を横切る中心線方向に寄せて吹き出すことができるという作用を有する。
【００４４】
以下、本発明の実施の形態について図面を参照しながら説明する。
【００４５】
（実施の形態１）
図１〜図４に示すように、本体１は除湿手段１ｃと遠心送風機１ａを内蔵し、本体１の上部に吹出口２を設け、吹出口２より除湿された乾燥空気を吹き出すものである。本体１は吹出口２の出口側の３面を包囲するように、後面に上部後壁１７ａと両側面に上部側壁１７ｂを設け、吹出口２の出口側は前方が開放した断面コ字状の吹出空間２Ａが形成されている。この吹出空間２Ａ内に、吹出口２に面して俯仰ルーバー３を回動可能に設けている。すなわち俯仰ルーバー３は左右の側板６に一対の軸部７を突設し、軸部７を本体１の上部側壁１７ｂに設けた支持部８に係合することにより、回動可能に軸支されている。
【００４６】
また、俯仰ルーバー３は、下方に平行に設けた横長形状の支持ルーバー４と、この支持ルーバー４と俯仰ルーバー３とに挟持されて左右方向に回動可能に軸支される一対の風向板ユニット５を備え、各風向板ユニット５は一対の風向変更フィン９を連結棒１０にて連結したものであり、連結棒１０に形成したフィン固定穴１１に風向変更フィン９に設けた連結用突起１２を圧入状態で嵌入させている。
【００４７】
また、支持ルーバー４には風向変更フィン９の軸穴１４に挿入する左右回動軸１３を一体に形成し、俯仰ルーバー３には左右回動軸１３の上端を支持するための支持穴１５を設けている。これにより、風向板ユニット５は支持ルーバー４と俯仰ルーバー３とに挟持されて左右方向に回動可能に軸支されている。なお、支持ルーバー４に俯仰ルーバー３を一体化するための固定柱１６を設け、中央と両端の３箇所にて溶着固定している。
【００４８】
また、俯仰ルーバー３は水平面を基準として、０度から９０度（垂直）の角度範囲で回動可能に設けられ、一方の軸部７を軸支する支持部８に駆動モーター８ａを接続することにより、俯仰ルーバー３を自動的に往復回動できるようにしているが、０度から９０度の所望角度に一時停止させることも、手動で所望角度に設定することもできるものである。
【００４９】
なお、風向板ユニット５を構成する風向変更フィン９の回動角度は、俯仰ルーバー３の中心から左右に４５度以内に設けるのが実用的であり、本実施の形態では最大角度を左右に３５度として、手動にて所望の角度に調整して固定できる構成としている。
【００５０】
上記構成において、まず本体１の除湿手段１ｃと遠心送風機１ａの運転を行うと、吹出口２より乾燥気流が吹き出され、俯仰ルーバー３を手動で調整する場合は、俯仰ルーバー３を回動して、俯仰方向の０度から９０度の間に停止することにより風向を定め、つぎに、風向板ユニット５の回動角度を調整することにより、左右への吹出方向と送風幅を設定でき、吊り下げた洗濯物の方向や範囲に合わせて、乾燥気流を吹き出すことができる。
【００５１】
また、俯仰ルーバー３を自動的に回動させる場合は、先に風向板ユニット５の回動角度を調整することにより、左右への吹出方向と送風幅を設定し、つぎに俯仰ルーバー３用の駆動モーター８ａに通電して、俯仰ルーバー３を０度から９０度の範囲で往復運動または所望角度で一時停止して、乾燥気流を吹き出すことができる。
【００５２】
このとき、俯仰ルーバー３の下に支持ルーバー４が平行に一体的に設けられているので、送風方向の指向性が高まり、俯仰ルーバー３の回動により俯仰方向が変更されても、支持ルーバー４の働きにより、変更された俯仰方向に追従して吹出気流の送風方向を確実に変更することができ、送風方向の指向性を維持することができる。
【００５３】
また、風向板ユニット５の左右の回動角度は、俯仰ルーバー３の中心から左右に３５度以内としているので、手動にて所望の角度に固定して使用するときに、通気抵抗の増加は少なく、風量を減らすことなく多様な吹出方向と送風幅の組み合わせが自由に設定でき、洗濯物に乾燥気流を吹き出す場合でも、衣類乾燥を効率良く行うことができる。
【００５４】
また、俯仰ルーバー３を閉じたときは、本体１の天面１ｂと俯仰ルーバー３の表面が略同一平面を形成して吹出口２の上面を覆うとともに、風向板ユニット５が俯仰ルーバー３内に収納されていることにより、運転停止時に吹出空間２Ａから吹出口２を通して、本体１内へゴミや異物が侵入するのを防ぐことができる。
【００５５】
なお、本実施の形態では除湿装置本体を床置型としたが、本体を壁掛型または天井取付型としても、同様の効果を発揮するものである。
【００５６】
なお、本実施の形態では風向板ユニット５の構成で、連結棒１０に形成したフィン固定穴１１に風向変更フィン９に設けた連結用突起１２を圧入状態で嵌入させることで、前記フィン固定穴１１と前記連結用突起１２との摩擦により、所望の回動角度に固定できるものであるが、それに代えて風向変更フィンの軸穴１４と支持ルーバー４に一体形成されている左右回動軸１３を圧入状態で嵌入させ、軸穴１４と左右回動軸１３との摩擦により任意の回動角度に固定可能としても同様の効果を発揮するものである。
【００５７】
（実施の形態２）
本実施の形態は、前述した実施の形態に対して、俯仰ルーバーの形状を変更し、また吹出口２の形状について詳述したものであり、前述した実施の形態と同一構成のものは同一番号を付して、詳しい説明は省略する。
【００５８】
図２および、図５〜図１２に示すように、本体１の吹出空間２Ａ内に、吹出口２に面して主ルーバー１８を回動可能に設け、主ルーバー１８は従ルーバー１９を回動可能に軸支している。主ルーバー１８は、側方に延設する一対の側板６と、下方に平行に設けた横長形状の補強ルーバー２０を備え、主ルーバー１８、一対の側板６および補強ルーバー２０は一体に形成されている。また主ルーバー１８は、側板６の外側に軸部７を突起し、本体１の上部側壁に設けた支持部８に回動可能に軸支されている。なお、補強ルーバー２０は主ルーバー１８の前端下部に配置され、さらに主ルーバー１８と補強ルーバー２０間に従ルーバー１９を収納するための空間を設けている。
【００５９】
また、従ルーバー１９は、両端に一対の軸片２２を突設し、主ルーバー１８の側板６に設けた軸穴２１に軸片２２を嵌入することにより、主ルーバー１８に対して回動可能に軸支されている。また従ルーバー１９に面して横長形状の支持ルーバー４が下方に平行に配置され、支持ルーバー４と従ルーバー１９とに挟持されて左右方向に回動可能に軸支される複数の風向板ユニット５を設けている。風向板ユニット５の風向変更フィン９の最大角度は左右に３５度に設定し、この範囲内で任意の角度に固定できるようにしている。
【００６０】
また、主ルーバー１８に回動可能に軸支される従ルーバー１９は、主ルーバー１８に対して０度から最大角度３０度〜６０度の間で回動可能に設けるのが実用的であり、本実施の形態では最大角度を４５度として、段階的に回動できるようにしている。すなわち、従ルーバー１９の側面に設けた突部２３を主ルーバー１８の側面に設けた複数の凹部２４のいずれか１つに係合することにより、０度、２２．５度、４５度の３段階の角度で仮固定できるようにしている。
【００６１】
また、従ルーバー１９は外側の主翼部１９ａに対して内側の副翼部１９ｂが一段下がった構造であり、従ルーバー１９を回動角度０度としたときは、副翼部１９ｂは主ルーバー１８の下に密接して重合され、主ルーバー１８と従ルーバー１９の主翼部１９ａの表面は略同一平面を形成する。このとき主ルーバー１８および従ルーバー１９の主翼部１９ａの表面と、本体１の天面１ｂは略同一平面を形成する寸法関係としている。
【００６２】
上記構成において、まず本体１の除湿手段１ｃと遠心送風機１ａの運転を行うと、吹出口２より乾燥気流が吹き出される。主ルーバー１８を手動で調節する場合は、主ルーバー１８を回動して、俯仰方向の０度から９０度の間に停止することができ、さらに従ルーバー１９を０度、２２．５度、４５度のいずれかに回動して仮固定することにより俯仰方向の０度から１３５度の間に風向を定め、つぎに風向板ユニット５の風向変更フィン９の回動角度を左右３５度の範囲内で吹出角度を調整することにより、左右への吹出方向と送風幅を設定できる。これにより、本体１の前面側から背面側に至る範囲で、かつ左右３５度の範囲内における任意の方向と送風幅で吹出角度を調整することができ、吊り下げた洗濯物の方向や範囲に合わせて、乾燥気流を吹き出すことができる。
【００６３】
また、主ルーバー１８を自動的に回動させる場合は、先に従ルーバー１９を０度、２２．５度、４５度のいずれかに回動して仮固定することにより、主ルーバー１８に対する風向変更角度を設定し、つぎに風向板ユニット５の風向変更フィン９の回動角度を左右３５度の範囲内で調整して固定することにより、左右への吹出方向と送風幅を設定し、最後に主ルーバー１８用の駆動モーター８ａに通電して、主ルーバー１８を０度から９０度の範囲で往復運動を行ない、乾燥気流を吹き出すことができる。これにより、左右３５度の範囲内における任意の方向と送風幅で吹出角度を設定することができ、本体１の前面側（０度）から背面側（１３５度）に至る所定範囲内で繰り返し往復運動を行なうことにより、吊り下げた洗濯物の方向や範囲に合わせて、乾燥気流を周期的に繰り返して吹き出すことができる。すなわち、従ルーバー１９を４５度に固定して、風向変更フィン９の回動角度を左右３５度の範囲内で調整することにより、主ルーバー１８を０度から９０度の範囲で往復回動すると、本体１の前方から後方まで広範囲に周期的に送風することができる。このとき主ルーバー１８を９０度に固定すると、本体１の後方で左右方向の特定範囲にも、集中的に送風することができる。
【００６４】
また、主ルーバー１８に対して従ルーバー１９を重ねるように０度に仮固定した場合は、主ルーバー１８の下に平行に設置されている補強ルーバー２０と従ルーバー１９の下に平行に設置されている支持ルーバー４が同一平面上に並ぶことになり、主ルーバー１８の回動角度にかかわらず、主ルーバー１８で風向変更される送風方向の指向性が高まることになる。
【００６５】
次に、風向板ユニット５の風向変更フィン９の回動角度を調整することで、本体１からの吹出し送風幅を変更した場合について詳細に説明する。
【００６６】
図１０（イ）に示すように、乾燥させる衣類の量が極端に少ない場合やジーンズ１本などの厚手の衣類を短時間で乾燥させたい場合には、送風幅を中央に集中させることで乾燥時間を短縮し、図１０（ロ）に示すように、乾燥させる衣類の量が多い場合や部屋全体を短時間で乾燥させたい場合には、送風幅を拡大させることで、乾燥風を広範囲に吹き出すことができる。
【００６７】
また、図１０（ハ）および（ニ）に示すように、送風幅を左右のどちらかの方向に集中させるようにも設定することにより、乾燥させる衣類の配置や乾燥度合いに適した送風幅や風速分布を自由に設定することができる。
【００６８】
このように、風向板ユニット５の風向変更フィン９の回動角度を調整することにより、通風抵抗を増加させず、風量を減らすことなく乾燥すべき衣類の量や質、配置などに合わせて吹出方向と送風幅を任意に設定でき、効率的な衣類乾燥を行なうことができるものである。
【００６９】
また、実際に室内環境として室温２０度湿度７０％の約６畳の環境試験室にて、衣類の乾燥試験を行った結果を次に示すと、図１１に示すように洗濯後のフェイスタオル１枚（約８０ｇ）の乾燥試験では、発明試験物は風向板ユニット５を調整して、図１０（イ）に示すように送風幅を中央に集中して試験を行なうと、衣類乾燥時間は４２分の結果が得られ、これに対して特許文献１に示した比較試験品での衣類乾燥時間は４７分となり、衣類乾燥時間を約１１％短縮する効果が得られた。
【００７０】
次に、図１２に示すように洗濯後のバスタオル２枚（約５５０ｇ）の乾燥試験では、発明試験物は風向板ユニット５を調整して、図１０（ロ）に示すような送風幅を拡大して試験を行なうと、衣類乾燥時間は１０８分でとなり、これに対して特許文献１に示した比較試験品での衣類乾燥時間は１３２分となり、衣類乾燥時間を約１８％短縮する効果が得られた。
【００７１】
従って、本体１からの左右方向の吹出方向や送風幅を風向板ユニット５で調整するとともに、俯仰方向の送風角度は主ルーバー１８および従ルーバー１９の組合せで調整することにより、乾燥すべき衣類の量や質および吊り下げ位置や範囲などに対応して、最適な送風領域を設定できるので、衣類の乾燥効率を向上させて乾燥時間を短縮できるとともに、衣類乾燥を省エネルギーで行うことができる。
【００７２】
（実施の形態３）
図１３〜図１５に示すように、本体１の吹出口２に複数の縦格子２５ａを下方に突設した縦格子部２５と、複数の横格子２６ａを上方に突設した横格子部２６を備えている。
【００７３】
また、本体１の断面形状は前面が凸状の円弧形状をしており、この円弧形状に対応して横格子２６ａを前面が凸状の円弧形状に形成している。
【００７４】
上記構成により、吹出口２に設けた下方に突設した複数の縦格子２５ａが、遠心送風機１ａからの斜め上方向の吹出気流を、垂直上方に風向変更して送風指向性を高めることができ、効率良く上方向に風向変更することができる。このとき、縦格子２５ａにより上方向に風向変更した気流は、縦格子２５ａに沿うようにやや広がり気味となるものの、縦格子２５ａと直交する上方に突設した複数の横格子２６ａにより軌道修正されて、確実に垂直上方に風向変更することができ、遠心送風機１ａからの吹出気流に対して、通風抵抗を抑えつつ円滑な風向変更ができるので、後流側に配した各ルーバーによる風向変更機能を充分に発揮させることができる。
【００７５】
また、本体１外観形状に合わせて吹出口２の横格子２６ａを形成することで、吹出口２をできるだけ大きく確保しながら通風抵抗を減らすことができる。
【００７６】
なお、図１６のように縦格子２５ｂは遠心送風機１ａの吹出方向に対して凸状の円弧形状としてもよく、この場合は遠心送風機１ａからの吹出気流が、縦格子２５ｂに向かって吹き当たるときに、吹出気流は縦格子２５ｂの中心付近にやや寄せられるように上方に風向変更することになり、吹出気流を吹出口を横切る中心線方向に寄せながら指向性を高めて吹き出すことができるので、後流側に配した各ルーバーによる風向変更機能を充分に発揮させることができるものである。
【産業上の利用可能性】
【００７７】
本発明に係る風向変更装置は、空調された気流を吹出口から広範囲にまたは絞り込んで吹き出す加湿器、エアコンなどの空調機器の用途にも適用できる。
【図面の簡単な説明】
【００７８】
【図１】本発明の実施の形態１の風向変更装置の分解斜視図
【図２】同、風向変更装置を備えた本体の前面透視図
【図３】（イ）同、風向変更板ユニットの分解斜視図、（ロ）同、俯仰ルーバーの平面図
【図４】同、俯仰ルーバーを閉じた状態を示す外観斜視図
【図５】（イ）本発明の実施の形態２の風向変更装置の分解斜視図、（ロ）  同、従ルーバーの平面図
【図６】（イ）同、主ルーバーと従ルーバーの重合状態の断面図、（ロ）  同、主ルーバーに対して従ルーバーの回動状態の断面図
【図７】同、運転停止時または水平吹出時の本体上部の外観斜視図
【図８】同、従ルーバーのみ４５度回動した状態を示す本体上部の外観斜視図
【図９】同、主ルーバーと従ルーバーを最大回動した状態を示す本体上部の外観斜視図
【図１０】（イ）同、風向板ユニットを中央側に回動した状態を示す要部正面図、（ロ）同、風向板ユニットを左右外側に回動した状態を示す要部正面図、（ハ）同、風向板ユニットを右側よりに回動した状態を示す要部正面図、（ニ）同、風向板ユニットを左側よりに回動した状態を示す要部正面図
【図１１】同、送風幅を中央に集中したフェイスタオル乾燥の説明図
【図１２】同、送風幅を広範囲に拡大したバスタオル乾燥の説明図
【図１３】本発明の実施の形態３の吹出口の縦格子部および横格子部の構成を示す要部断面図
【図１４】同、吹出口の縦格子部および横格子部の要部外観斜視図
【図１５】同、本体前面の円弧形状に対応した横格子部を示す部品斜視図
【図１６】同、吹出方向に対して凸状の円弧形状をした縦格子部を示す要部平面図
【図１７】従来の風向変更装置の分解斜視図
【図１８】従来の他の風向変更装置の側断面図
【図１９】同、風向変更ルーバーの平面図
【符号の説明】
【００７９】
１      本体
１ａ    遠心送風機
１ｃ    除湿手段
２      吹出口
３      俯仰ルーバー
４      支持ルーバー
５      風向板ユニット
９      風向変更フィン
１０    連結棒
１１    フィン固定穴
１２    連結用突起
１３    左右回動軸
１８    主ルーバー（俯仰ルーバー）
１９    従ルーバー（俯仰ルーバー）
２０    補強ルーバー
２５    縦格子部
２５ａ  縦格子
２５ｂ  縦格子
２６    横格子部
２６ａ  横格子
【図１】
2009192137.tif 000003
【図２】
2009192137.tif 000004
【図３】
2009192137.tif 000005
【図４】
2009192137.tif 000006
【図５】
2009192137.tif 000007
【図６】
2009192137.tif 000008
【図７】
2009192137.tif 000009
【図８】
2009192137.tif 000010
【図９】
2009192137.tif 000011
【図１０】
2009192137.tif 000012
【図１１】
2009192137.tif 000013
【図１２】
2009192137.tif 000014
【図１３】
2009192137.tif 000015
【図１４】
2009192137.tif 000016
【図１５】
2009192137.tif 000017
【図１６】
2009192137.tif 000018
【図１７】
2009192137.tif 000019
【図１８】
2009192137.tif 000020
【図１９】
2009192137.tif 000021